(57)【特許請求の範囲】
【請求項１】
連絡先情報提示方法であって、
取得部によって、連絡先のアイコンを取得するステップであって、前記連絡先の前記アイコンは、前記連絡先の識別子および前記連絡先の特徴アイコンを含み、前記連絡先の前記特徴アイコンは、前記連絡先の特徴情報と前記特徴情報の予め設定された優先順位とに基づいて判断され、前記特徴情報の前記予め設定された優先順位は、前記特徴情報のタイプに基づく優先順位、前記特徴情報が取得される媒体に基づく優先順位、および、取得された特徴情報の量に基づく優先順位のうちの少なくとも1つを含み、前記連絡先の前記特徴情報は、前記連絡先のソーシャルテキスト情報または前記連絡先の測定データのうちの少なくとも1つを含み、前記連絡先の前記識別子は、前記連絡先のプロフィール写真または前記連絡先の名前のうちの少なくとも1つを含む、ステップと、
提示部によって、前記連絡先の前記アイコンを連絡先画面上に提示するステップと
を含む方法。
【請求項２】
前記取得部によって、前記連絡先の前記ソーシャルテキスト情報のキーワードを取得するステップであって、前記連絡先の前記ソーシャルテキスト情報は、前記連絡先によってソーシャルネットワークに投稿された情報または前記連絡先によってユーザ機器に送信された情報のうちの少なくとも1つを含む、ステップと、
前記取得部によって、前記キーワードに対応する特徴に基づいて前記連絡先の前記特徴情報を判断するステップであって、前記連絡先の前記特徴のタイプが、前記連絡先が位置する地理的環境、前記連絡先の行動状態、または前記連絡先の個人情報のうちの少なくとも1つに属する、ステップと
をさらに含む、請求項1に記載の方法。
【請求項３】
前記取得部によって、前記連絡先の特徴として、前記連絡先の前記測定データに対応する特徴を判断し、前記特徴に基づいて前記連絡先の前記特徴情報を判断するステップであって、前記連絡先の前記特徴のタイプが、前記連絡先が位置する地理的環境、前記連絡先の行動状態、または前記連絡先の個人情報のうちの少なくとも1つに属する、ステップ
をさらに含む、請求項1に記載の方法。
【請求項４】
前記取得部によって、前記連絡先の前記ソーシャルテキスト情報のキーワードを取得するステップであって、前記連絡先の前記ソーシャルテキスト情報は、前記連絡先によってソーシャルネットワークに投稿された情報または前記連絡先によってユーザ機器に送信された情報のうちの少なくとも1つを含む、ステップと、
前記取得部によって、前記キーワードに対応する特徴を判断するステップと、
前記取得部によって、前記連絡先の前記測定データに対応する特徴を判断するステップと、
前記取得部によって、前記キーワードに対応する前記特徴および前記連絡先の前記測定データに対応する前記特徴に基づいて前記連絡先の前記特徴情報を判断するステップであって、前記連絡先の前記特徴のタイプが、前記連絡先が位置する地理的環境、前記連絡先の行動状態、または前記連絡先の個人情報のうちの少なくとも1つに属する、ステップと
をさらに含む、請求項1に記載の方法。
【請求項５】
連絡先情報判断方法であって、
取得部によって、連絡先の特徴情報を取得するステップであって、前記連絡先の前記特徴情報は、前記連絡先のソーシャルテキスト情報または前記連絡先の測定データのうちの少なくとも1つを含む、ステップと、
判断部によって、ユーザ機器が連絡先画面上に前記連絡先の特徴に対応する特徴アイコンを提示するように、前記連絡先の前記特徴情報と前記特徴情報の予め設定された優先順位とに基づいて前記連絡先の前記特徴を判断するステップと
を含み、
前記特徴情報の前記予め設定された優先順位は、前記特徴情報のタイプに基づく優先順位、前記特徴情報が取得される媒体に基づく優先順位、および、取得された特徴情報の量に基づく優先順位のうちの少なくとも1つを含む、方法。
【請求項６】
前記判断部によって、前記連絡先の前記ソーシャルテキスト情報のキーワードを判断するステップであって、前記連絡先の前記ソーシャルテキスト情報は、前記連絡先によってソーシャルネットワークに投稿された情報または前記連絡先によって前記ユーザ機器に送信された情報のうちの少なくとも1つを含む、ステップと、
前記判断部によって、前記キーワードに対応する特徴に基づいて前記連絡先の前記特徴を判断するステップであって、前記連絡先の前記特徴のタイプが、前記連絡先が位置する地理的環境、前記連絡先の行動状態、または前記連絡先の個人情報のうちの少なくとも1つに属する、ステップと
をさらに含む、請求項5に記載の方法。
【請求項７】
前記判断部によって、前記連絡先の前記特徴として、前記連絡先の前記測定データに対応する特徴を判断するステップであって、前記連絡先の前記特徴のタイプが、前記連絡先が位置する地理的環境、前記連絡先の行動状態、または前記連絡先の個人情報のうちの少なくとも1つに属する、ステップ
をさらに含む、請求項5に記載の方法。
【請求項８】
前記判断部によって、前記連絡先の前記ソーシャルテキスト情報のキーワードを判断するステップであって、前記連絡先の前記ソーシャルテキスト情報は、前記連絡先によってソーシャルネットワークに投稿された情報または前記連絡先によって前記ユーザ機器に送信された情報のうちの少なくとも1つを含む、ステップと、
前記判断部によって、前記キーワードに対応する特徴に基づいて、前記連絡先の前記測定データに対応する特徴を判断するステップと、
前記判断部によって、前記キーワードに対応する前記特徴および前記連絡先の前記測定データに対応する前記特徴に基づいて前記連絡先の前記特徴を判断するステップであって、前記連絡先の前記特徴のタイプが、前記連絡先が位置する地理的環境、前記連絡先の行動状態、または前記連絡先の個人情報のうちの少なくとも1つに属する、ステップと
をさらに含む、請求項5に記載の方法。
【請求項９】
ユーザ機器であって、
連絡先のアイコンを取得するように構成された取得部であって、前記連絡先の前記アイコンは、前記連絡先の識別子および前記連絡先の特徴アイコンを含み、前記連絡先の前記特徴アイコンは、前記連絡先の特徴情報と前記特徴情報の予め設定された優先順位とに基づいて判断され、前記特徴情報の前記予め設定された優先順位は、前記特徴情報のタイプに基づく優先順位、前記特徴情報が取得される媒体に基づく優先順位、および、取得された特徴情報の量に基づく優先順位のうちの少なくとも1つを含み、前記連絡先の前記特徴情報は、前記連絡先のソーシャルテキスト情報または前記連絡先の測定データのうちの少なくとも1つを含み、前記連絡先の前記識別子は、前記連絡先のプロフィール写真または前記連絡先の名前のうちの少なくとも1つを含む、取得部と、
連絡先画面を提示し、前記連絡先の前記アイコンを前記連絡先画面上に提示するように構成された提示部と
を含むユーザ機器。
【請求項１０】
前記取得部は、
前記連絡先の前記アイコンを取得することであって、前記連絡先の前記アイコンは、前記連絡先の前記識別子および前記連絡先の前記特徴アイコンを含み、前記連絡先の前記特徴アイコンは、前記連絡先の前記特徴情報に基づいて判断される、ことと、
前記連絡先の前記ソーシャルテキスト情報のキーワードを判断することであって、前記連絡先の前記ソーシャルテキスト情報は、前記連絡先によってソーシャルネットワークに投稿された情報または前記連絡先によって前記ユーザ機器に送信された情報のうちの少なくとも1つを含む、ことと、
前記キーワードに対応する特徴に基づいて前記連絡先の前記特徴情報を判断することであって、前記連絡先の前記特徴のタイプが、前記連絡先が位置する地理的環境、前記連絡先の行動状態、または前記連絡先の個人情報のうちの少なくとも1つに属する、ことと
を行うように特に構成されている、請求項9に記載のユーザ機器。
【請求項１１】
前記取得部は、
前記連絡先の前記アイコンを取得することであって、前記連絡先の前記アイコンは、前記連絡先の前記識別子および前記連絡先の前記特徴アイコンを含み、前記連絡先の前記特徴アイコンは、前記連絡先の前記特徴情報に基づいて判断される、ことと、
前記連絡先の特徴として、前記連絡先の前記測定データに対応する特徴を判断し、前記特徴に基づいて前記連絡先の前記特徴情報を判断することであって、前記連絡先の前記特
徴のタイプが、前記連絡先が位置する地理的環境、前記連絡先の行動状態、または前記連絡先の個人情報のうちの少なくとも1つに属する、ことと
を行うように特に構成されている、請求項9に記載のユーザ機器。
【請求項１２】
前記取得部は、
前記連絡先の前記アイコンを取得することであって、前記連絡先の前記アイコンは、前記連絡先の前記識別子および前記連絡先の前記特徴アイコンを含み、前記連絡先の前記特徴アイコンは、前記連絡先の前記特徴情報に基づいて判断され、前記連絡先の前記特徴情報は、前記連絡先の前記ソーシャルテキスト情報または前記連絡先の前記測定データのうちの少なくとも1つを含む、ことと、
前記連絡先の前記ソーシャルテキスト情報のキーワードを判断することであって、前記連絡先の前記ソーシャルテキスト情報は、前記連絡先によってソーシャルネットワークに投稿された情報または前記連絡先によって前記ユーザ機器に送信された情報のうちの少なくとも1つを含む、ことと、
前記キーワードに対応する特徴を判断することと、
前記連絡先の前記測定データに対応する特徴を判断することと、
前記キーワードに対応する前記特徴および前記連絡先の前記測定データに対応する前記特徴に基づいて前記連絡先の前記特徴情報を判断することであって、前記連絡先の前記特徴のタイプが、前記連絡先が位置する地理的環境、前記連絡先の行動状態、または前記連絡先の個人情報のうちの少なくとも1つに属する、ことと
を行うように特に構成されている、請求項9に記載のユーザ機器。
【請求項１３】
前記取得部は、
前記連絡先の前記アイコンを取得することであって、前記連絡先の前記アイコンは、前記連絡先の前記識別子および前記連絡先の前記特徴アイコンを含み、前記連絡先の前記特徴アイコンは、前記連絡先の前記特徴情報に基づいて判断され、前記連絡先の前記特徴情報は、前記連絡先の前記ソーシャルテキスト情報または前記連絡先の前記測定データのうちの少なくとも1つを含む、ことと、
予め設定された優先順位に従って、前記連絡先の前記キーワードに対応する前記特徴または前記連絡先の前記測定データに対応する前記特徴から、前記連絡先の前記特徴を判断することと
を行うように特に構成されている、請求項12に記載のユーザ機器。
【請求項１４】
デバイスであって、
連絡先の特徴情報を取得するように構成された取得部であって、前記連絡先の前記特徴情報は、前記連絡先のソーシャルテキスト情報または前記連絡先の測定データのうちの少なくとも1つを含む、取得部と、
ユーザ機器が連絡先画面上に前記連絡先の特徴に対応する特徴アイコンを提示するように、前記連絡先の前記特徴情報と前記特徴情報の予め設定された優先順位とに基づいて前記連絡先の前記特徴を判断するように構成された判断部と
を含み、
前記特徴情報の前記予め設定された優先順位は、前記特徴情報のタイプに基づく優先順位、前記特徴情報が取得される媒体に基づく優先順位、および、取得された特徴情報の量に基づく優先順位のうちの少なくとも1つを含む、デバイス。
【請求項１５】
前記判断部は、前記連絡先の前記ソーシャルテキスト情報のキーワードを判断し、前記キーワードに対応する特徴に基づいて前記連絡先の前記特徴を判断するように特に構成されており、前記連絡先の前記ソーシャルテキスト情報は、前記連絡先によってソーシャルネットワークに投稿された情報または前記連絡先によって前記ユーザ機器に送信された情報のうちの少なくとも1つを含み、前記連絡先の前記特徴のタイプが、前記連絡先が位置する地理的環境、前記連絡先の行動状態、または前記連絡先の個人情報のうちの少なくとも1つに属する、請求項14に記載のデバイス。
【請求項１６】
前記判断部は、前記連絡先の前記特徴として、前記連絡先の前記測定データに対応する特徴を判断するように特に構成されており、前記連絡先の前記特徴のタイプが、前記連絡先が位置する地理的環境、前記連絡先の行動状態、または前記連絡先の個人情報のうちの少なくとも1つに属する、請求項14に記載のデバイス。
【請求項１７】
前記判断部は、前記連絡先の前記ソーシャルテキスト情報に対応するキーワードを判断し、前記キーワードに対応する特徴に基づいて、前記連絡先の前記測定データに対応する特徴を判断し、前記キーワードに対応する前記特徴および前記連絡先の前記測定データに対応する前記特徴に基づいて、前記連絡先の前記特徴を判断するように特に構成されており、前記連絡先の前記ソーシャルテキスト情報は、前記連絡先によってソーシャルネットワークに投稿された情報または前記連絡先によって前記ユーザ機器に送信された情報のうちの少なくとも1つを含み、前記連絡先の前記特徴のタイプが、前記連絡先が位置する地理的環境、前記連絡先の行動状態、または前記連絡先の個人情報のうちの少なくとも1つに属する、請求項14に記載のデバイス。
【発明の詳細な説明】
【技術分野】
【０００１】
本出願は、2014年11月20日付で中国特許庁に出願された「CONTACT INFORMATION PRESENTATION METHOD, CONTACT INFORMATION DETERMINING METHOD, AND RELATED DEVICE」という名称の中国特許出願第201410669803.6号の優先権を主張するものであり、参照により上記中国特許出願の全体が本明細書に組み入れられる。
【背景技術】
【０００２】
本開示の実施形態は、情報技術の分野に関し、より詳細には、連絡先情報提示方法、連絡先情報判断方法、および関連デバイスに関する。
【０００３】
先行技術においては、アドレス帳は、連絡先の名前、連絡先の予め記憶された連絡方法などを記憶するだけである。ユーザがアドレス帳を閲覧する場合、ユーザは連絡先の名前や連絡方法といった予め記憶された内容のみを知ることができる。
【発明の概要】
【課題を解決するための手段】
【０００４】
本開示の実施形態は、豊かな内容の連絡先情報を提供することができる、連絡先情報提示方法、連絡先情報判断方法、および関連デバイスを提供する。
【０００５】
第1の態様によれば、本開示の実施形態は、連絡先情報提示方法を提供し、本方法は、連絡先のアイコンを取得するステップであって、連絡先のアイコンは、連絡先の識別子および連絡先の特徴アイコンを含み、連絡先の特徴アイコンは、連絡先の特徴情報に基づいて判断され、連絡先の特徴情報は、連絡先のソーシャルテキスト情報または連絡先の測定データのうちの少なくとも1つを含み、連絡先の識別子は、連絡先のプロフィール写真または連絡先の名前のうちの少なくとも1つを含む、ステップと、連絡先のアイコンを連絡先画面上に提示するステップとを含む。
【０００６】
第1の態様の可能な実施態様において、本方法は、連絡先のソーシャルテキスト情報のキーワードを取得するステップであって、連絡先のソーシャルテキスト情報は、以下、すなわち、連絡先によってソーシャルネットワークに投稿された情報または連絡先によってユーザ機器に送信された情報、のうちの少なくとも1つを含む、ステップと、キーワードに対応する特徴に基づいて連絡先の特徴情報を判断するステップであって、連絡先の特徴のタイプが、以下のタイプ、すなわち、連絡先が位置する地理的環境、連絡先の行動状態、または連絡先の個人情報、のうちの少なくとも1つに属する、ステップとをさらに含む。
【０００７】
第1の態様の可能な実施態様において、本方法は、連絡先の特徴として、連絡先の測定データに対応する特徴を判断し、特徴に基づいて連絡先の特徴情報を判断するステップであって、連絡先の特徴のタイプが、以下のタイプ、すなわち、連絡先が位置する地理的環境、連絡先の行動状態、または連絡先の個人情報、のうちの少なくとも1つに属する、ステップをさらに含む。
【０００８】
第1の態様の可能な実施態様において、本方法は、連絡先のソーシャルテキスト情報のキーワードを取得するステップであって、連絡先のソーシャルテキスト情報が、以下、すなわち、連絡先によってソーシャルネットワークに投稿された情報または連絡先によってユーザ機器に送信された情報、のうちの少なくとも1つを含む、ステップと、キーワードに対応する特徴を判断するステップと、連絡先の測定データに対応する特徴を判断するステップと、キーワードに対応する特徴および連絡先の測定データに対応する特徴に基づいて連絡先の特徴情報を判断するステップであって、連絡先の特徴のタイプが、以下のタイプ、すなわち、連絡先が位置する地理的環境、連絡先の行動状態、または連絡先の個人情報、のうちの少なくとも1つに属する、ステップとをさらに含む。
【０００９】
第1の態様の可能な実施態様において、キーワードに対応する特徴および連絡先の測定データに対応する特徴に基づいて連絡先の特徴を判断するステップは、予め設定された優先順位に従って、連絡先のキーワードに対応する特徴または連絡先の測定データに対応する特徴から、連絡先の特徴を判断するステップを含む。
【００１０】
第1の態様の可能な実施態様において、連絡先の識別子は、連絡先のプロフィール写真を含み、連絡先のプロフィール写真は、ユーザ機器と連絡先との対話に関するデータに基づいて判断される。
【００１１】
第2の態様によれば、本開示の実施形態は、連絡先情報判断方法を提供し、本方法は、連絡先の特徴情報を取得するステップであって、連絡先の特徴情報は、連絡先のソーシャルテキスト情報または連絡先の測定データのうちの少なくとも1つを含む、ステップと、ユーザ機器が連絡先画面上に連絡先の特徴に対応する特徴アイコンを提示するように、連絡先の特徴情報に基づいて連絡先の特徴を判断するステップとを含む。
【００１２】
第2の態様の可能な実施態様において、本方法は、連絡先のソーシャルテキスト情報のキーワードを判断するステップであって、連絡先のソーシャルテキスト情報は、以下、すなわち、連絡先によってソーシャルネットワークに投稿された情報または連絡先によってユーザ機器に送信された情報、のうちの少なくとも1つを含む、ステップと、キーワードに対応する特徴に基づいて連絡先の特徴を判断するステップであって、連絡先の特徴のタイプが、以下のタイプ、すなわち、連絡先が位置する地理的環境、連絡先の行動状態、または連絡先の個人情報、のうちの少なくとも1つに属する、ステップとをさらに含む。
【００１３】
第2の態様の可能な実施態様において、本方法は、連絡先の特徴として、連絡先の測定データに対応する特徴を判断するステップであって、連絡先の特徴のタイプが、以下のタイプ、すなわち、連絡先が位置する地理的環境、連絡先の行動状態、または連絡先の個人情報、のうちの少なくとも1つに属する、ステップをさらに含む。
【００１４】
第2の態様の可能な実施態様において、本方法は、連絡先のソーシャルテキスト情報のキーワードを判断するステップであって、連絡先のソーシャルテキスト情報は、以下、すなわち、連絡先によってソーシャルネットワークに投稿された情報または連絡先によってユーザ機器に送信された情報、のうちの少なくとも1つを含む、ステップと、キーワードに対応する特徴に基づいて、連絡先の測定データに対応する特徴を判断するステップと、キーワードに対応する特徴および連絡先の測定データに対応する特徴に基づいて連絡先の特徴を判断するステップであって、連絡先の特徴のタイプが、以下のタイプ、すなわち、連絡先が位置する地理的環境、連絡先の行動状態、または連絡先の個人情報、のうちの少なくとも1つに属する、ステップとをさらに含む。
【００１５】
第2の態様の可能な実施態様において、キーワードに対応する特徴および連絡先の測定データに対応する特徴に基づいて連絡先の特徴を判断するステップは、予め設定された優先順位に従って、連絡先のキーワードに対応する特徴または連絡先の測定データに対応する特徴から、連絡先の特徴を判断するステップを含む。
【００１６】
第2の態様の可能な実施態様において、本方法は、ユーザ機器と連絡先との対話に関するデータを取得するステップと、ユーザ機器と連絡先との対話に関するデータに基づいて、連絡先のプロフィール写真を判断するステップとをさらに含む。
【００１７】
第3の態様によれば、本開示の実施形態は、ユーザ機器を提供し、本ユーザ機器は、連絡先のアイコンを取得するように構成された取得部であって、連絡先のアイコンは、連絡先の識別子および連絡先の特徴アイコンを含み、連絡先の特徴アイコンは、連絡先の特徴情報に基づいて判断され、連絡先の特徴情報は、連絡先のソーシャルテキスト情報または連絡先の測定データのうちの少なくとも1つを含み、連絡先の識別子は、連絡先のプロフィール写真または連絡先の名前のうちの少なくとも1つを含む、取得部と、連絡先画面を提示し、連絡先のアイコンを連絡先画面上に提示するように構成された、提示部とを含む。
【００１８】
第3の態様の可能な実施態様において、取得部は、連絡先のアイコンを取得することであって、連絡先のアイコンは、連絡先の識別子および連絡先の特徴アイコンを含み、連絡先の特徴アイコンは、連絡先の特徴情報に基づいて判断される、ことと、連絡先のソーシャルテキスト情報のキーワードを判断することであって、連絡先のソーシャルテキスト情報は、以下、すなわち、連絡先によってソーシャルネットワークに投稿された情報または連絡先によってユーザ機器に送信された情報、のうちの少なくとも1つを含む、ことと、キーワードに対応する特徴に基づいて連絡先の特徴情報を判断することであって、連絡先の特徴のタイプが、以下のタイプ、すなわち、連絡先が位置する地理的環境、連絡先の行動状態、または連絡先の個人情報、のうちの少なくとも1つに属する、こととを行うように特に構成されている。
【００１９】
第3の態様の可能な実施態様において、取得部は、連絡先のアイコンを取得することであって、連絡先のアイコンは、連絡先の識別子および連絡先の特徴アイコンを含み、連絡先の特徴アイコンは、連絡先の特徴情報に基づいて判断される、ことと、連絡先の特徴として、連絡先の測定データに対応する特徴を判断し、特徴に基づいて連絡先の特徴情報を判断することであって、連絡先の特徴のタイプが、以下のタイプ、すなわち、連絡先が位置する地理的環境、連絡先の行動状態、または連絡先の個人情報、のうちの少なくとも1つに属する、こととを行うように特に構成されている。
【００２０】
第3の態様の可能な実施態様において、取得部は、連絡先のアイコンを取得することであって、連絡先のアイコンは、連絡先の識別子および連絡先の特徴アイコンを含み、連絡先の特徴アイコンは、連絡先の特徴情報に基づいて判断され、連絡先の特徴情報は、連絡先のソーシャルテキスト情報または連絡先の測定データのうちの少なくとも1つを含む、ことと、連絡先のソーシャルテキスト情報のキーワードを判断することであって、連絡先のソーシャルテキスト情報は、以下、すなわち、連絡先によってソーシャルネットワークに投稿された情報または連絡先によってユーザ機器に送信された情報のうちの少なくとも1つを含む、ことと、キーワードに対応する特徴を判断することと、連絡先の測定データに対応する特徴を判断することと、キーワードに対応する特徴および連絡先の測定データに対応する特徴に基づいて連絡先の特徴情報を判断することであって、連絡先の特徴のタイプが、以下のタイプ、すなわち、連絡先が位置する地理的環境、連絡先の行動状態、または連絡先の個人情報、のうちの少なくとも1つに属する、こととを行うように特に構成されている。
【００２１】
第3の態様の可能な実施態様において、取得部は、連絡先のアイコンを取得することであって、連絡先のアイコンは、連絡先の識別子および連絡先の特徴アイコンを含み、連絡先の特徴アイコンは、連絡先の特徴情報に基づいて判断され、連絡先の特徴情報は、連絡先のソーシャルテキスト情報または連絡先の測定データのうちの少なくとも1つを含む、ことと、予め設定された優先順位に従って、連絡先のキーワードに対応する特徴または連絡先の測定データに対応する特徴から、連絡先の特徴を判断することとを行うように特に構成されている。
【００２２】
第3の態様の可能な実施態様において、連絡先の識別子は、連絡先のプロフィール写真を含み、
取得部は、ユーザ機器と連絡先との対話に関するデータに基づいて、連絡先のプロフィール写真を判断するようにさらに構成されている。
【００２３】
第4の態様によれば、本開示の実施形態は、デバイスを提供し、本デバイスは、連絡先の特徴情報を取得するように構成された取得部であって、連絡先の特徴情報は、連絡先のソーシャルテキスト情報または連絡先の測定データのうちの少なくとも1つを含む、取得部と、ユーザ機器が連絡先画面上に連絡先の特徴に対応する特徴アイコンを提示するように、連絡先の特徴情報に基づいて連絡先の特徴を判断するように構成された判断部とを含む。
【００２４】
第4の態様の可能な実施態様において、判断部は、連絡先のソーシャルテキスト情報のキーワードを判断し、キーワードに対応する特徴に基づいて連絡先の特徴を判断するように特に構成されており、連絡先のソーシャルテキスト情報は、以下、すなわち、連絡先によってソーシャルネットワークに投稿された情報または連絡先によってユーザ機器に送信された情報、のうちの少なくとも1つを含み、連絡先の特徴のタイプが、以下のタイプ、すなわち、連絡先が位置する地理的環境、連絡先の行動状態、または連絡先の個人情報、のうちの少なくとも1つに属する。
【００２５】
第4の態様の可能な実施態様において、判断部は、連絡先の特徴として、連絡先の測定データに対応する特徴を判断するように特に構成されており、連絡先の特徴のタイプが、以下のタイプ、すなわち、連絡先が位置する地理的環境、連絡先の行動状態、または連絡先の個人情報、のうちの少なくとも1つに属する。
【００２６】
第4の態様の可能な実施態様において、判断部は、連絡先のソーシャルテキスト情報に対応するキーワードを判断し、キーワードに対応する特徴に基づいて、連絡先の測定データに対応する特徴を判断し、キーワードに対応する特徴および連絡先の測定データに対応する特徴に基づいて、連絡先の特徴を判断するように特に構成されており、連絡先のソーシャルテキスト情報は、以下、すなわち、連絡先によってソーシャルネットワークに投稿された情報または連絡先によってユーザ機器に送信された情報、のうちの少なくとも1つを含み、連絡先の特徴のタイプが、以下のタイプ、すなわち、連絡先が位置する地理的環境、連絡先の行動状態、または連絡先の個人情報、のうちの少なくとも1つに属する。
【００２７】
第4の態様の可能な実施態様において、判断部は、予め設定された優先順位に従って、連絡先のキーワードに対応する特徴または連絡先の測定データに対応する特徴から、連絡先の特徴を判断するように特に構成されている。
【００２８】
第4の態様の可能な実施態様において、取得部は、ユーザ機器と連絡先との対話に関するデータを取得するようにさらに構成されており、判断部は、ユーザ機器と連絡先との対話に関するデータに基づいて、連絡先のプロフィール写真を判断するようにさらに構成されている。
【００２９】
前述の技術的解決策によれば、ユーザ機器が連絡先画面を提示するとき、連絡先画面上に提示された連絡先のアイコンは連絡先の特徴を反映することができる。言い換えると、連絡先の基本的な通信情報以外の内容を連絡先画面上に提示することができる。このようにして、より豊かな内容を連絡先画面上に提示することができ、ユーザは、連絡先のアイコンを使用して、連絡先に対応する特徴について知ることができる。
【００３０】
本開示の実施形態における技術的解決策をより明確に説明するために、以下で、本開示の実施形態を説明するのに必要とされる添付の図面について簡単に説明する。当然ながら、以下の説明の添付の図面は本開示の一部の実施形態のみを示すものであり、当業者は、これら添付の図面から難なく他の図面をさらに導出することができる。
【図面の簡単な説明】
【００３１】
【図１】本開示の一実施形態による連絡先情報提示方法を示す図である。
【図２】本開示の一実施形態による連絡先情報判断方法の概略的流れ図である。
【図３】本開示の一実施形態を適用するシステムの概略図である。
【図４】本開示の一実施形態による、ユーザ機器が連絡先画面上に連絡先アイコンを提示する概略図である。
【図５】本開示の一実施形態による、ユーザ機器が連絡先画面上に連絡先アイコンを提示する別の概略図である。
【図６】連絡先プロフィール写真を用いて連絡先との接触頻度を表す別の概略図である。
【図７】本開示の一実施形態によるユーザ機器の構造ブロック図である。
【図８】本開示の一実施形態によるデバイスの構造ブロック図である。
【図９】本開示の一実施形態によるユーザ機器の構造ブロック図である。
【図１０】本開示の一実施形態によるデバイスの構造ブロック図である。
【発明を実施するための形態】
【００３２】
以下で、本開示の実施形態における添付の図面に関連して、本開示の実施形態における技術的解決策を明確に説明する。当然ながら、説明される実施形態は本開示の実施形態の全部ではなく一部にすぎない。本開示の実施形態に基づいて当業者によって難なく得られる他のすべての実施形態は、本開示の保護範囲内に含まれるものとする。
【００３３】
端末は、端末機器またはユーザ機器（User Equipment、略してUE）とも呼ばれ、携帯端末機器（携帯電話またはタブレットコンピュータなど）であってもよく、または非携帯端末機器（例えば、デスクトップコンピュータ）であってもよい。本開示の実施形態で言及されるユーザ機器は、連絡先情報を提示することができる少なくとも1つの表示画面を含む。
【００３４】
図1は、本開示の一実施形態による連絡先情報提示方法を示す。図1に示す方法は、ユーザ機器によって実行される。
【００３５】
101：連絡先のアイコンであって、連絡先のアイコンは連絡先の識別子および連絡先の特徴アイコンを含み、連絡先の特徴アイコンは連絡先の特徴情報に基づいて判断され、連絡先の特徴情報は、連絡先のソーシャルテキスト情報または連絡先の測定データのうちの少なくとも1つを含み、連絡先の識別子は、連絡先のプロフィール写真または連絡先の名前のうちの少なくとも1つを含む、連絡先のアイコンを取得する。
【００３６】
102：連絡先のアイコンを連絡先画面上に提示する。
【００３７】
図1に示す方法によれば、ユーザ機器が連絡先画面を提示するとき、連絡先画面上に提示された連絡先のアイコンは連絡先の特徴を反映することができる。言い換えると、連絡先の基本的な通信情報以外の内容を連絡先画面上に提示することができる。このようにして、より豊かな内容が連絡先画面上に提示されることができ、ユーザは、連絡先のアイコンを使用して、連絡先に対応する特徴について知ることができる。
【００３８】
場合により、一実施形態では、本方法は、連絡先のソーシャルテキスト情報のキーワードを取得するステップであって、連絡先のソーシャルテキスト情報は、以下、すなわち、連絡先によってソーシャルネットワークに投稿された情報または連絡先によってユーザ機器に送信された情報、のうちの少なくとも1つを含む、ステップと、キーワードに対応する特徴に基づいて連絡先の特徴情報を判断するステップであって、連絡先の特徴のタイプが、以下のタイプ、すなわち、連絡先が位置する地理的環境、連絡先の行動状態、または連絡先の個人情報、のうちの少なくとも1つに属する、ステップとをさらに含む。
【００３９】
場合により、別の実施形態では、本方法は、連絡先の特徴として、連絡先の測定データに対応する特徴を判断し、特徴に基づいて連絡先の特徴情報を判断するステップであって、連絡先の特徴のタイプが、以下のタイプ、すなわち、連絡先が位置する地理的環境、連絡先の行動状態、または連絡先の個人情報、のうちの少なくとも1つに属する、ステップをさらに含む。
【００４０】
場合により、別の実施形態では、本方法は、連絡先のソーシャルテキスト情報のキーワードを取得するステップであって、連絡先のソーシャルテキスト情報は、以下、すなわち、連絡先によってソーシャルネットワークに投稿された情報または連絡先によってユーザ機器に投稿された情報のうちの少なくとも1つを含む、ステップと、キーワードに対応する特徴を判断するステップと、連絡先の測定データに対応する特徴を判断するステップと、キーワードに対応する特徴および連絡先の測定データに対応する特徴に基づいて連絡先の特徴情報を判断するステップであって、連絡先の特徴のタイプが、以下のタイプ、すなわち、連絡先が位置する地理的環境、連絡先の行動状態、または連絡先の個人情報、のうちの少なくとも1つに属する、ステップとをさらに含む。
【００４１】
場合により、一実施形態では、キーワードに対応する特徴および連絡先の測定データに対応する特徴に基づいて連絡先の特徴を判断するステップは、予め設定された優先順位に従って、連絡先のキーワードに対応する特徴または連絡先の測定データに対応する特徴から、連絡先の特徴を判断するステップを含む。
【００４２】
さらに、連絡先の識別子は連絡先のプロフィール写真を含み、連絡先のプロフィール写真は、ユーザ機器と連絡先との対話に関するデータに基づいて判断される。
【００４３】
図2は、本開示の一実施形態による連絡先判断方法の概略的流れ図である。
【００４４】
201：連絡先の特徴情報であって、連絡先の特徴情報は、連絡先のソーシャルテキスト情報または連絡先の測定データのうちの少なくとも1つを含む、連絡先の特徴情報を取得する。
【００４５】
202：ユーザ機器が、連絡先画面上に、連絡先の特徴に対応する特徴アイコンを提示するように、連絡先の特徴情報に基づいて連絡先の特徴を判断する。
【００４６】
図2に示す方法によれば、連絡先の特徴情報に基づいて連絡先の特徴を判断することができる。連絡先の特徴を取得した後、ユーザ機器は、連絡先画面上に、連絡先に対応する特徴アイコンを提示することができる。このようにして、より豊かな内容が連絡先画面上に提示されることができ、ユーザは、連絡先のアイコンを使用して、連絡先に対応する特徴について知ることができる。
【００４７】
場合により、一実施形態では、本方法は、連絡先のソーシャルテキスト情報を分析し、連絡先のソーシャルテキスト情報のキーワードを判断するステップであって、連絡先のソーシャルテキスト情報は、以下、すなわち、連絡先によってソーシャルネットワークに投稿された情報または連絡先によってユーザ機器に送信された情報、のうちの少なくとも1つを含む、ステップと、キーワードに基づいて連絡先の特徴を判断するステップであって、連絡先の特徴のタイプが、以下のタイプ、すなわち、連絡先が位置する地理的環境、連絡先の行動状態、または連絡先の個人情報、のうちの少なくとも1つに属する、ステップとをさらに含む。
【００４８】
場合により、別の実施形態では、本方法は、連絡先の特徴として、連絡先の測定データに対応する特徴を判断するステップであって、連絡先の特徴のタイプが、以下のタイプ、すなわち、連絡先が位置する地理的環境、連絡先の行動状態、または連絡先の個人情報、のうちの少なくとも1つに属する、ステップをさらに含む。
【００４９】
場合により、別の実施形態では、本方法は、連絡先のソーシャルテキスト情報を分析し、連絡先のソーシャルテキスト情報のキーワードを判断するステップであって、連絡先のソーシャルテキスト情報は、以下、すなわち、連絡先によってソーシャルネットワークに投稿された情報または連絡先によってユーザ機器に送信された情報のうちの少なくとも1つを含む、ステップと、キーワードに対応する特徴に基づいて、測定データに対応する特徴を判断するステップと、キーワードに対応する特徴および連絡先の測定データに対応する特徴に基づいて連絡先の特徴を判断するステップであって、連絡先の特徴のタイプが、以下のタイプ、すなわち、連絡先が位置する地理的環境、連絡先の行動状態、または連絡先の個人情報、のうちの少なくとも1つに属する、ステップとをさらに含む。
【００５０】
場合により、一実施形態では、キーワードに対応する特徴および連絡先の測定データに対応する特徴に基づいて連絡先の特徴を判断するステップは、予め設定された優先順位に従って、連絡先のキーワードに対応する特徴または連絡先の測定データに対応する特徴から、連絡先の特徴を判断するステップを含む。
【００５１】
さらに、本方法は、ユーザ機器と連絡先との対話に関するデータを取得するステップと、ユーザ機器と連絡先との対話に関するデータに基づいて、連絡先のプロフィール写真を判断するステップとをさらに含む。
【００５２】
図2に示す方法は、ネットワークデバイス（例えばサーバ）によって実行されてもよく、またはユーザ機器によって実行されてもよい。図2に示す方法がネットワークデバイスによって実行される場合、場合により、一実施形態では、ネットワークデバイスは判断された連絡先の特徴をユーザ機器に送信することができる。ユーザ機器は、連絡先の特徴に基づいて対応する特徴アイコンを判断し、連絡先画面上に連絡先のアイコンを提示することができ、連絡先のアイコンは連絡先の識別子および連絡先の特徴アイコンを含む。図2に示す方法がネットワークデバイスによって実行される場合、場合により、別の実施形態では、ネットワークデバイスは、連絡先の特徴に基づいて連絡先の特徴アイコンをさらに判断し、連絡先の特徴アイコンをユーザ機器に送信することができる。図2に示す方法がユーザ機器によって実行される場合、ユーザ機器は、連絡先の特徴を判断した後、連絡先の特徴に対応する特徴アイコンをさらに判断し、連絡先画面上に、連絡先のアイコンを提示することができる。
【００５３】
当業者が本開示をより良く理解するのを助けるために、以下に本開示の特定の実施形態を記載する。以下の特定の実施形態は、本開示を限定する代わりに、当業者が本開示をより良く理解するのを助けるためのものにすぎないことに留意されたい。
【００５４】
図3は、本開示の一実施形態を適用するシステムの概略図である。図3に示されるユーザ機器100は、図1に示される実施形態におけるユーザ機器である。ユーザ機器100に格納された連絡先は、1つ以上のデバイスを使用して情報を送信することができる。また、1つ以上のデバイスは、連絡先に関するデータを監視することができる。連絡先によって使用されるデバイスは、まとめて連絡先デバイス300と呼んでもよい。連絡先デバイス300は、携帯電話またはタブレットコンピュータといったユーザ機器を含むことができる。ユーザ機器は、全地球測位システム（Global Positioning System、GPS）センサおよび加速度センサといった、いくつかのセンサを含むことができると理解される。連絡先デバイス300は、例えば、ハートレートセンサやGPSセンサといったセンサを含む、スマートウォッチ、スマートグラス（例えば、Google Glass）、またはスマートバンドといったデバイスである、センサを有するウェアラブルデバイスをさらに含むことができる。いくつかのウェアラブルデバイス（スマートウォッチやスマートグラスなど）はソーシャルテキスト情報を送信することもできると理解される。図3に示すネットワークデバイス200およびネットワークデバイス400は、サーバなどのネットワークデバイスであってもよい。
【００５５】
連絡先は、連絡先デバイス300を使用してソーシャルテキスト情報を送ることができる。例えば、連絡先デバイス300を使用して、連絡先は、ミニブログを更新し、SMSメッセージ、WeChatメッセージ、または電子メールといった情報を、ユーザ機器100に送信することができる。連絡先は、連絡先デバイス300を使用して、ソーシャルネットワークに情報を投稿することができる。連絡先によってソーシャルネットワークに投稿された情報は、連絡先の職歴、教育経験、関心事や趣味といった連絡先の履歴書を含むことができる。連絡先デバイス300を使用して連絡先によって送信された、ミニブログ、SMSメッセージ、WeChatメッセージ、および電子メールといった情報、および連絡先によってソーシャルネットワークに投稿された情報は、まとめてソーシャルテキスト情報と呼んでもよい。情報は、対応するサーバに格納されてもよく、またはユーザ機器100に直接送信されてもよい。例えば、図3に示すネットワークデバイス400は、ミニブログに対応するサーバであってもよい。連絡先デバイス300を使用して連絡先によって送信されたミニブログは、ネットワークデバイス400に格納されてもよい。
【００５６】
連絡先デバイス300は、連絡先に関する情報をさらに測定することができる。連絡先デバイス300による測定を通じて得られた連絡先に関する情報（例えば、連絡先の地理的位置、心拍数、脈拍、血圧といったデータ）は、連絡先の測定データと呼んでもよい。例えば、連絡先デバイス300がGPSセンサを含む場合、連絡先デバイス300は、GPSセンサを使用して連絡先の位置を判断することができる。別の例として、連絡先デバイス300がハートレートセンサを含む場合、連絡先の心拍数を判断することができる。また、連絡先デバイス300は、対応するサーバに、測定を通じて得られた測定データを送信してもよい。
【００５７】
連絡先デバイス300は、連絡先によって使用されるデバイスの総称であることが理解される。例えば、連絡先デバイス300は、携帯電話、タブレットコンピュータ、スマートバンドなどを含むことができる。連絡先は、携帯電話を使用してミニブログを送信することができる。連絡先は、タブレットコンピュータを使用してミニブログを送信することもできる。連絡先によって保持される携帯電話は、連絡先に関する情報を測定することができる。連絡先によって使用されるスマートバンドは、連絡先に関する情報を測定することもできる。
【００５８】
ユーザ機器100は、ソーシャルテキスト情報および／または測定データを直接取得することができる。具体的には、ユーザ機器100は、ソーシャルテキスト情報に対応するサーバから、連絡先によって投稿されたソーシャルテキスト情報を取得することができる。例えば、ユーザ機器100は、ネットワークデバイス400から、連絡先デバイス300を使用して、連絡先によって投稿されたミニブログを取得することができる。あるいは、ユーザ機器100は、連絡先デバイス300を使用して投稿されたソーシャルテキスト情報を取得することができる。例えば、ユーザ機器100は、連絡先デバイス300を使用して連絡先によって送信されるSMSメッセージ、WeChatメッセージ、または電子メールといったソーシャルテキスト情報を取得することができる。同様に、ユーザ機器100は、サーバから連絡先の測定データを取得してもよく、または連絡先デバイス300から連絡先の測定データを取得してもよい。
【００５９】
ユーザ機器100が連絡先のソーシャルテキスト情報を取得すると、ユーザ機器100は、連絡先のソーシャルテキスト情報を分析し、連絡先のソーシャルテキスト情報のキーワードを判断することができる。次いで、ユーザ機器100は、連絡先の特徴として、キーワードに対応する特徴を判断することができる。連絡先の特徴のタイプが、以下のタイプ、すなわち、連絡先が位置する地理的環境、連絡先の行動状態、または連絡先の個人情報のうちの少なくとも1つであってもよい。連絡先の勤務先、連絡先の関心事や趣味、連絡先が勉強しているまたは勉強していた学校といった情報すべてが、連絡先の個人情報に属する。
【００６０】
例えば、ユーザ機器100は、連絡先によって投稿されたソーシャルテキスト情報が、「離陸」、「飛行機」、および「フライト」といったキーワードを含むと判断することができる。この場合、ユーザ機器100は、連絡先の行動状態が「飛行機を利用している」と判断することができる。言い換えると、ユーザ機器100は、連絡先の特徴が「飛行機を利用している」ということであると判断する。ユーザ機器100は、連絡先の履歴書の職歴に「2013年9月1日より、Huawei Companyに勤務」ということが含まれているとさらに判断することができる。この場合、ユーザ機器100は、連絡先の勤務先が「Huawei Company」であると判断することができる。言い換えると、ユーザ機器100は、連絡先の特徴が「Huawei Company」であると判断する。ユーザ機器100は、連絡先による態様に関するメッセージの投稿頻度をカウントすることによって、連絡先の特徴をさらに判断することができる。例えば、連絡先によるサッカー関連メッセージの投稿頻度が予め設定された閾値を超える場合、ユーザ機器100は、連絡先の関心事または趣味が「サッカー」であると判断することができる。言い換えると、ユーザ機器100は、連絡先の特徴が「サッカー」であると判断する。
【００６１】
ユーザ機器100が連絡先の測定データを取得すると、ユーザ機器100は、連絡先の測定データに対応する特徴を判断することができる。例えば、ユーザ機器100が、連絡先のGPSセンサによる測定を通じて得られた連絡先の位置が「ショッピングモール」であることを取得した場合、ユーザ機器100は、連絡先の行動状態が「買い物にいく」であり、連絡先が位置する地理的環境が「街」であると判断することができる。言い換えると、連絡先の特徴は「買い物にいく」および「街」である。別の例として、ユーザ機器100が、連絡先のGPSセンサによる測定を通じて得られた連絡先の位置が「海辺」であることを取得した場合、ユーザ機器100は、連絡先が位置する地理的環境が「海辺」であると判断することができる。言い換えると、連絡先の特徴は「海辺」である。さらに別の例として、ユーザ機器100が、連絡先のハートレートセンサの心拍数情報が睡眠中に存在する心拍特徴を満たしていることを取得した場合、ユーザ機器100は連絡先の行動状態が「睡眠中」であると判断することができる。言い換えると、連絡先の特徴は「睡眠中」である。また、ユーザ機器100は、連絡先の測定データに基づいて連絡先の個人情報をさらに判断することができる。例えば、ユーザ機器100が、連絡先のGPSセンサによる測定を通じて、連絡先がサッカーのピッチに現れる頻度が、予め設定された閾値を超えることを取得した場合、ユーザ機器100は、連絡先の関心事または趣味は「サッカー」であると判断することができる。ユーザ機器100が、連絡先のGPSセンサによる測定を通じて、勤務時間中に連絡先が1つの住所に位置する頻度が、予め設定された閾値を超えることを取得した場合、ユーザ機器100は、該住所が連絡先の職場の住所であると判断することができ、職場の住所に基づいて、連絡先の勤務先をさらに判断することができる。
【００６２】
ユーザ機器100が、連絡先のソーシャルテキスト情報および連絡先の測定データを取得すると、ユーザ機器100は、連絡先のソーシャルテキスト情報のキーワードおよびキーワードに対応する特徴を判断することができる。また、ユーザ機器100は、連絡先の測定データに対応する特徴をさらに判断することができる。ユーザ機器100は、キーワードに対応する特徴および連絡先の測定データに対応する特徴に基づいて、連絡先の特徴を判断する。
【００６３】
場合により、一実施形態では、ユーザ機器100は、連絡先の特徴が、キーワードに対応する特徴および連絡先の測定データに対応する特徴を含むと判断することができる。例えば、ユーザ機器100は、連絡先のソーシャルテキスト情報に基づいて、連絡先の特徴が「サッカー」であり、連絡先の勤務する会社が「Huawei Company」であると判断することができる。また、ユーザ機器100は、連絡先の測定データ内のGPSデータに基づいて、連絡先が位置する地理的環境が「山岳地帯」であると判断することができる。この場合、ユーザ機器100は、連絡先の特徴が「サッカー」、「Huawei Company」、および「山岳地帯」を含むと判断することができる。
【００６４】
場合により、別の実施形態では、ユーザ機器100は、予め設定された優先順位に従って、連絡先のキーワードに対応する特徴または連絡先の測定データに対応する特徴から、連絡先の特徴をさらに判断することができる。例えば、予め設定された優先順位は、キーワードに対応する特徴の優先順位が、連絡先の測定データに対応する特徴の優先順位よりも高いことがある。この場合、ユーザ機器100が、連絡先のソーシャルテキスト情報に基づいて、連絡先が位置する地理的環境が「山岳地帯」であると判断するが、連絡先の測定データに基づいて、連絡先が位置する地理的環境が「海辺」であると判断した場合、ユーザ機器100は、連絡先の特徴が「山岳地帯」であると判断する。あるいは、ユーザ機器100が、連絡先のソーシャルテキスト情報に基づいて、連絡先の行動状態が「飛行機を利用している」と判断するが、ユーザ機器100が連絡先の測定データに基づいて、連絡先が位置する地理的環境が「山岳地帯」であると判断した場合、ユーザ機器100は、連絡先の特徴が「飛行機を利用している」と判断することができる。予め設定された優先順位は、連絡先の測定データに対応する優先順位がキーワードに対応する優先順位よりあるいは高いことがあることが理解される。別の例として、キーワードに対応する特徴は異なる優先順位をさらに有することができる。例えば、連絡先によってユーザ機器100にWeChatメッセージ、SMSメッセージ、または電子メールを送信する優先順位は、連絡先によってソーシャルネットワークにメッセージを投稿する優先順位より高くてもよい。例えば、ユーザ機器100が、連絡先によって送信されたSMSメッセージに基づいて、連絡先の特徴が「飛行機を利用している」と判断するが、ユーザ機器100が、連絡先によって送信されたミニブログに基づいて、連絡先の特徴が「山岳地帯」であると判断した場合、ユーザ機器100は、連絡先の特徴が「飛行機を利用している」と判断することができる。さらに、別のルールに従うことによって、優先順位をさらに設定してもよい。例えば、ユーザ機器100は、連絡先のソーシャルテキスト情報および／または連絡先の測定データを定期的に取得し、連絡先の特徴を定期的に判断することができる。この場合、優先順位は、ユーザ機器100が、ある期間内に、特徴を含む情報を取得する時刻に基づいて、判断されてもよい。例えば、ユーザ機器100が連絡先のソーシャルテキスト情報および／または連絡先の測定データを取得する期間が1時間であり、ユーザ機器100が13時に連絡先によって送信されたミニブログを取得した場合、ミニブログに基づいて判断された連絡先の特徴は「飛行機を利用している」ことである。ユーザ機器100が13時2分に連絡先によって送信されたSMSメッセージを受信した場合、SMSメッセージに基づいて判断された連絡先の特徴は「山岳地帯」である。この場合、ユーザ機器100は、連絡先の特徴が「山岳地帯」であると判断することができる。別の例として、優先順位は、ユーザ機器100によって判断された特徴量に基づいて、さらに判断することができる。例えば、ユーザ機器100が、連絡先の測定データ中のGPS情報に基づいて、連絡先の特徴が「海辺」であると判断し、連絡先によって送信されたSMSメッセージに基づいて、連絡先の特徴が「海辺」であると判断し、連絡先によって送信されたミニブログに基づいて、連絡先の特徴が「山岳地帯」であると判断した場合、ユーザ機器100は連絡先の特徴が「海辺」であると判断することができる。
【００６５】
ユーザ機器100は、ネットワークデバイス200を使用して連絡先の特徴を取得することもできる。この場合、ネットワークデバイス200は、連絡先のソーシャルテキスト情報および／または連絡先の測定データを取得し、得られた情報またはデータに基づいて連絡先の特徴を判断することができる。次いで、ネットワークデバイス200は、連絡先の特徴をユーザ機器100に送信する。
【００６６】
具体的には、ネットワークデバイス200が連絡先のソーシャルテキスト情報を取得すると、ネットワークデバイス200は、連絡先のソーシャルテキスト情報を分析し、連絡先のソーシャルテキスト情報のキーワードを判断することができる。次いで、ネットワークデバイス200は、連絡先の特徴として、キーワードに対応する特徴を判断することができ、連絡先の特徴のタイプが、以下のタイプ、すなわち、連絡先が位置する地理的環境、連絡先の行動状態、または連絡先の個人情報のうちの少なくとも1つであってもよい。
【００６７】
例えば、ネットワークデバイス200は、連絡先によって投稿されたソーシャルテキスト情報が、「離陸」、「飛行機」、および「フライト」といったキーワードを含むと判断することができる。この場合、ネットワークデバイス200は、連絡先の行動状態が「飛行機を利用している」と判断することができる。言い換えると、ネットワークデバイス200は、連絡先の特徴が「飛行機を利用している」と判断する。ネットワークデバイス200は、連絡先の履歴書の職歴に「2013年9月1日より、Huawei Companyに勤務」ということが含まれているとさらに判断することができる。この場合、ネットワークデバイス200は、連絡先の勤務先が「Huawei Company」であると判断することができる。すなわち、ネットワークデバイス200は、連絡先の特徴が「Huawei Company」であると判断する。ネットワークデバイス200は、連絡先による状況に関するメッセージの投稿頻度をカウントすることによって、連絡先の特徴をさらに判断することができる。例えば、連絡先によるサッカー関連メッセージの投稿頻度が予め設定された閾値を超える場合、ネットワークデバイス200は、連絡先の関心事または趣味が「サッカー」であると判断することができる。言い換えると、ネットワークデバイス200は、連絡先の特徴が「サッカー」であると判断する。
【００６８】
ネットワークデバイス200が連絡先の測定データを取得すると、ネットワークデバイス200は、連絡先の測定データに対応する特徴を判断することができる。例えば、ネットワークデバイス200が、連絡先のGPSセンサによる測定を通じて得られた連絡先の位置が「ショッピングモール」であることを取得した場合、ネットワークデバイス200は、連絡先の行動状態が「買い物にいく」こと、および連絡先の地理的環境が「街」であると判断することができる。言い換えると、連絡先の特徴は「買い物にいく」および「街」である。別の例として、ネットワークデバイス200が、連絡先のGPSセンサによる測定を通じて得られた連絡先の位置が「海辺」であることを取得した場合、ネットワークデバイス200は、連絡先が位置する地理的環境が「海辺」であると判断することができる。言い換えると、連絡先の特徴は「海辺」である。さらに別の例として、ネットワークデバイス200が、連絡先のハートレートセンサの心拍数情報が睡眠中の心拍特徴を満たしていることを取得した場合、ネットワークデバイス200は、連絡先の行動状態が「睡眠中」であると判断することができる。言い換えると、連絡先の特徴は「睡眠中」である。また、ネットワークデバイス200は、連絡先の測定データに基づいて連絡先の個人情報をさらに判断することができる。例えば、ネットワークデバイス200が、連絡先のGPSセンサによる測定を通じて、連絡先がサッカーのピッチに現れる頻度が、予め設定された閾値を超えることを取得した場合、ネットワークデバイス200は、連絡先の関心事または趣味が「サッカー」であると判断することができる。ネットワークデバイス200が、連絡先のGPSセンサによる測定を通じて、勤務時間中に連絡先が1つの住所に位置する頻度が、予め設定された閾値を超えることを取得した場合、ネットワークデバイス200は、該住所が連絡先の職場の住所であると判断することができ、職場の住所に基づいて、連絡先の勤務先をさらに判断することができる。
【００６９】
ネットワークデバイス200が、連絡先のソーシャルテキスト情報および連絡先の測定データを取得すると、ネットワークデバイス200は、連絡先のソーシャルテキスト情報のキーワードおよびキーワードに対応する特徴を判断することができる。また、ネットワークデバイス200は、連絡先の測定データに対応する特徴をさらに判断することができる。ネットワークデバイス200は、キーワードに対応する特徴および連絡先の測定データに対応する特徴に基づいて、連絡先の特徴を判断する。
【００７０】
場合により、一実施形態では、ネットワークデバイス200は、連絡先の特徴が、キーワードに対応する特徴および連絡先の測定データに対応する特徴を含むと判断することができる。例えば、ネットワークデバイス200は、連絡先のソーシャルテキスト情報に基づいて、連絡先の特徴が「サッカー」であり、連絡先の勤務する会社が「Huawei Company」であると判断することができる。また、ネットワークデバイス200は、連絡先の測定データ内のGPSデータに基づいて、連絡先が位置する地理的環境が「山岳地帯」であると判断することができる。この場合、ネットワークデバイス200は、連絡先の特徴が「サッカー」、「Huawei Company」、および「山岳地帯」を含むと判断することができる。
【００７１】
場合により、別の実施形態では、ネットワークデバイス200は、予め設定された優先順位に従って、連絡先のキーワードに対応する特徴または連絡先の測定データに対応する特徴から、連絡先の特徴をさらに判断することができる。例えば、予め設定された優先順位は、キーワードに対応する特徴の優先順位が、連絡先の測定データに対応する特徴の優先順位よりも高いことがある。この場合、ネットワークデバイス200が、連絡先のソーシャルテキスト情報に基づいて、連絡先が位置する地理的環境が「山岳地帯」であると判断するが、連絡先の測定データに基づいて、連絡先が位置する地理的環境が「海辺」であると判断した場合、ネットワークデバイス200は、連絡先の特徴が「山岳地帯」であると判断する。あるいは、ネットワークデバイス200が、連絡先のソーシャルテキスト情報に基づいて、連絡先の行動状態が「飛行機を利用している」と判断するが、ネットワークデバイス200が、連絡先の測定データに基づいて、連絡先が位置する地理的環境が「山岳地帯」であると判断した場合、ネットワークデバイス200は、連絡先の特徴が「飛行機を利用している」と判断することができる。予め設定された優先順位は、連絡先の測定データに対応する優先順位がキーワードに対応する優先順位よりあるいは高いことがあることが理解される。別の例として、キーワードに対応する特徴は異なる優先順位をさらに有することができる。例えば、連絡先によってネットワークデバイス200にWeChatメッセージ、SMSメッセージ、または電子メールを送信する優先順位は、連絡先によってソーシャルネットワークにメッセージを投稿する優先順位より高くてもよい。例えば、ネットワークデバイス200が、連絡先によって送信されたSMSメッセージに基づいて、連絡先の特徴が「飛行機を利用している」と判断するが、ネットワークデバイス200は、連絡先によって送信されたミニブログに基づいて、連絡先の特徴が「山岳地帯」である判断した場合、ネットワークデバイス200は、連絡先の特徴が「飛行機を利用している」と判断することができる。さらに、別のルールに従うことによって、優先順位をさらに設定してもよい。例えば、ネットワークデバイス200は、連絡先のソーシャルテキスト情報および／または連絡先の測定データを定期的に取得し、連絡先の特徴を定期的に判断することができる。この場合、優先順位は、ネットワークデバイス200が、ある期間内に、特徴を含む情報を取得する時刻に基づいて、判断されてもよい。例えば、ネットワークデバイス200が連絡先のソーシャルテキスト情報および／または連絡先の測定データを取得する期間が1時間であり、ネットワークデバイス200が13時に連絡先によって送信されたミニブログを取得した場合、ミニブログに基づいて判断された連絡先の特徴は「飛行機を利用している」ことである。ネットワークデバイス200が13時2分に連絡先によって送信されたSMSメッセージを取得した場合、SMSメッセージに基づいて判断された連絡先の特徴は「山岳地帯」である。この場合、ネットワークデバイス200は、連絡先の特徴が「山岳地帯」であると判断することができる。別の例として、優先順位は、ネットワークデバイス200によって判断された特徴量に基づいて、さらに判断することができる。例えば、ネットワークデバイス200が、連絡先の測定データ中のGPS情報に基づいて、連絡先の特徴が「海辺」であると判断し、連絡先によって送信されたSMSメッセージに基づいて、連絡先の特徴が「海辺」であると判断し、連絡先によって送信されたミニブログに基づいて、連絡先の特徴が「山岳地帯」であると判断した場合、ネットワークデバイス200は連絡先の特徴が「海辺」であると判断することができる。
【００７２】
連絡先のソーシャルテキスト情報および測定データを取得することができるユーザ機器を制限するために、デバイス300を使用する連絡先は、ソーシャルテキスト情報および測定データに対してパーミッションを設定することができると理解される。例えば、連絡先は、ユーザ機器100が連絡先のすべてのソーシャルテキスト情報およびすべての測定データを取得できるように設定してもよく、または連絡先は、ユーザ機器100が連絡先の一部のソーシャルテキスト情報および一部の測定データのみを取得できるように設定してもよい。この場合、ユーザ機器100またはネットワークデバイス200は、得られたパーミッションに従って連絡先に関する情報を取得し、得られた情報に基づいて連絡先の特徴を判断する。例えば、デバイス300を使用する連絡先が、測定データに対するパーミッションをユーザ機器100に付与しない場合、ユーザ機器100またはネットワークデバイス200は、連絡先の測定データを取得することはできず、連絡先の測定データに基づいて連絡先の特徴を判断することはできない。
【００７３】
ユーザ機器100は、連絡先の特徴に対応する特徴アイコンを判断することができる。
【００７４】
場合により、一実施形態では、ユーザ機器100が連絡先の特徴を判断するとき、またはネットワークデバイス200が連絡先の特徴を判断するとき、ユーザ機器100は、連絡先の特徴を取得した後、特徴に対応する特徴アイコンを判断することができる。
【００７５】
場合により、別の実施形態では、ネットワークデバイス200が連絡先の特徴を判断するとき、ネットワークデバイス200は、連絡先の特徴に対応する特徴アイコンを判断し、特徴アイコンをユーザ機器100に送信することができる。
【００７６】
特徴アイコンと特徴との対応は、予め記憶されていてもよい。例えば、連絡先の特徴が「サッカー」である場合、特徴に対応するアイコンは、サッカーのアイコンであってもよい。別の例として、連絡先の特徴が「飛行機を利用している」場合、特徴に対応するアイコンは飛行機のアイコンであってもよい。さらに別の例として、連絡先の特徴が会社である場合、特徴に対応するアイコンは会社のロゴであってもよい。
【００７７】
さらに、特徴アイコンは静止画像であってもよく、またはアニメーションであってもよい。例えば、連絡先の行動状態に対応する特徴アイコンはアニメーションであってもよく、連絡先の個人情報における関心事または趣味に対応する特徴アイコンは写真であってもよい。
【００７８】
さらに、異なる特徴に対応する特徴アイコンの位置が判断されてもよい。例えば、連絡先の行動状態に対応する特徴アイコンは、連絡先の個人情報に対応する特徴アイコンの前に配置することができる。
【００７９】
さらに、更新時間に基づいて、特徴アイコンの大きさを判断してもよい。例えば、特徴について新たに判断された特徴アイコンは、特徴について以前に判断された特徴アイコンよりも大きい。
【００８０】
さらに、特徴アイコンが選択された後、特徴アイコンに対応する特徴の履歴情報が表示画面上に提示されてもよい。例えば、連絡先の特徴アイコンが「サッカー」である場合、「サッカー」についてかつて言及した時刻およびその状況が、表示画面上に提示されることがある。例えば、ユーザ機器100は、表示画面上にリスト形式で提示することができる。
【００８１】
さらに、連絡先のプロフィール写真は、ユーザ機器100と連絡先との対話に関するデータに基づいて判断されてもよい。対話に関するデータには、ユーザ機器100と連絡先との間の通話時間、通話量、SMSメッセージ送信回数、WeChatメッセージ送信回数、ソーシャルメディア上で「いいね」した回数などが含まれてもよい。
【００８２】
場合により、一実施形態では、ユーザ機器100は、連絡先との対話に関するデータに基づいて、連絡先のプロフィール写真を判断することができる。例えば、連絡先のプロフィール写真は、ユーザ機器100と連絡先との対話に関するデータが増加するにつれて、より鮮明になることがある。言い換えると、ユーザ機器100と連絡先との対話に関するデータがより大きい場合、連絡先のプロフィール写真はより鮮明である。別の例として、連絡先とユーザ機器100との対話に関するデータが比較的小さい場合、連絡先のプロフィール写真は簡素で抽象的なプロフィール写真であってもよい。連絡先とユーザ機器100との対話に関するデータが特定の閾値を超える場合、連絡先のプロフィール写真の内容はもう少し豊かになることがある。連絡先がユーザ機器100と接触する頻度がさらに増加すると、連絡先のプロフィール写真の内容はさらに豊かになることがある。
【００８３】
さらに、連絡先のプロフィール写真は、対話に関するデータが減少すると元の状態に復元されない。
【００８４】
また、連絡先のアイコン内にある連絡先のプロフィール写真および連絡先の特徴アイコンは、様々な方法で提示することができる。例えば、連絡先のプロフィール写真および連絡先の特徴アイコンを並べて配置してもよく、または連絡先のプロフィール写真および連絡先の特徴アイコンを重ねて配置してもよい。
【００８５】
当業者は、連絡先画面が、連絡先からの電話に応答したときに提示される画面であってもよく、または連絡先画面がアドレス帳画面であってもよく、または連絡先画面が、詳細な連絡先の情報が表示される画面でもよいことを理解できる。
【００８６】
図4は、本開示の一実施形態による、ユーザ機器が連絡先画面上に連絡先アイコンを提示する概略図である。図4に示す連絡先画面は、アドレス帳画面である。図4に示す連絡先画面は、4件の連絡先を含む。連絡先「Su Rui」に対応する連絡先アイコンは、連絡先プロフィール写真401およびサッカーのアイコン402を含むことが分かる。この場合、連絡先「Su Rui」の連絡先の特徴が「サッカーファン」であることを示すことができる。連絡先「Su Wa」に対応する連絡先アイコンは、連絡先プロフィール写真403およびHuawei Companyのロゴ404を含む。この場合、連絡先「Su Wa」の特徴がHuawei Companyの従業員であることを示すことができる。連絡先「Wu Pu」に対応する連絡先アイコンは、連絡先アイコン407および連絡先の特徴アイコン408を含む。連絡先の特徴アイコン408は、飛行機のアイコン、Huawei Companyのロゴ、およびサッカーのアイコンの3つのアイコンを含む。この場合、連絡先「Wu Pu」に対応する連絡先の特徴は「飛行機を利用している」、「Huawei Companyの従業員」、および「サッカーファン」であることを示すことができる。連絡先「Tian Mu」に対応する連絡先アイコンは、連絡先プロフィール写真405およびアイコン406を含む。このアイコンは、連絡先が位置する地理的環境が海辺であることを示すために使用されてもよい。この場合、連絡先「Tian Mu」の連絡先の特徴が「海辺」であることを示すことができる。4つの連絡先アイコンから、連絡先プロフィール写真および連絡先特徴アイコンが別々に配置されてもよく、または連絡先プロフィール写真および連絡先特徴アイコンが重複して配置されてもよいことが分かる。また、プロフィール写真401、プロフィール写真405、およびプロフィール写真407は、それぞれ充実度が異なることが分かる。プロフィール写真401は、簡素なプロフィール写真であり、簡素なプロフィール写真の輪郭のみを含む。プロフィール写真407は、プロフィール写真401よりも内容が豊かであり、髪や服といった特徴を提示する。プロフィール写真405は、プロフィール写真407よりも内容が豊かであり、顔の特徴および性別の特徴を提示する。このことは、ユーザ機器に対応するユーザが連絡先「Tian Mu」と最も頻繁に接触し、「Wu Pu」と比較的頻繁に接触し、「Su Wa」と接触し、「Su Rui」と最も低い頻度で接触することを意味する。
【００８７】
図5は、本開示の一実施形態による、ユーザ機器が連絡先画面上に連絡先アイコンを提示する別の概略図である。図5に示す連絡先画面は、連絡先の着信画面である。図5に示す連絡先画面上の連絡先アイコンは、連絡先プロフィール写真501および連絡先特徴アイコン502を含む。この場合、連絡先「Su Rui」の特徴が「サッカーファン」であることを示すことができる。
【００８８】
確かに、連絡先プロフィール写真および接触頻度は、図4に示す連絡先プロフィール写真の複雑さの昇順より、別の方法でさらに表現されてもよい。図6は、連絡先プロフィール写真を用いて連絡先との接触頻度を表す別の概略図である。
【００８９】
図6に示す4つの画像は、4つの連絡先プロフィール写真の概略図である。4つの画像は、左から右の順に、プロフィール写真A、プロフィール写真B、プロフィール写真C、およびプロフィール写真Dである。ユーザ機器がアドレス帳に連絡先を追加した後、連絡先の連絡先プロフィール写真は、プロフィール写真Aによって示される曖昧なプロフィール写真であり得る。ユーザ機器は、連絡先との接触頻度をカウントすることができる。例えば、ユーザ機器は、連絡先との接触頻度を定期的にカウントすることができる。あるいは、ユーザ機器は、連絡先との累積接触頻度を計算することができる。ユーザ機器が連絡先と接触する頻度が増加するにつれて、連絡先のプロフィール写真がますます鮮明になることがある。具体的には、ユーザ機器が連絡先に接触する頻度が第1のプリセット値を超えると、連絡先のプロフィール写真はプロフィール写真Bとなる。ユーザ機器が連絡先に接触する頻度が第2のプリセット値を超えると、連絡先のプロフィール写真はプロフィール写真Cとなる。ユーザ機器が連絡先に接触する頻度が第3のプリセット値を超えると、連絡先のプロフィール写真はプロフィール写真Dとなる。第3のプリセット値は第2のプリセット値よりも大きく、第2のプリセット値は第1のプリセット値よりも大きいことが理解される。
【００９０】
図3〜図6は、本開示を限定する代わりに、当業者が本開示をより良く理解するのを助けるためのものにすぎないことが理解される。
【００９１】
図7は、本開示の一実施形態によるユーザ機器700の構造ブロック図である。図7に示すユーザ機器は、図1に示す方法の各ステップを実行することができる。図7に示すように、ユーザ機器700は、取得部701および提示部702を含む。
【００９２】
取得部701は、連絡先のアイコンであって、連絡先のアイコンは連絡先の識別子および連絡先の特徴アイコンを含み、連絡先の特徴アイコンは連絡先の特徴情報に基づいて判断され、連絡先の特徴情報は、連絡先のソーシャルテキスト情報または連絡先の測定データのうちの少なくとも1つを含み、連絡先の識別子は、連絡先のプロフィール写真または連絡先の名前のうちの少なくとも1つを含む、連絡先のアイコンを取得するように構成されている。
【００９３】
提示部702は、連絡先画面を提示し、連絡先画面上に、取得部701により得られた連絡先のアイコンを提示するように構成されている。
【００９４】
図7に示すユーザ機器700が連絡先画面を提示すると、連絡先画面上に提示された連絡先のアイコンが連絡先の特徴を反映することができる。言い換えると、連絡先の基本的な通信情報以外の内容を連絡先画面上に提示することができる。このようにして、より豊かな内容が連絡先画面上に提示されることができ、ユーザは、連絡先のアイコンを使用して、連絡先に対応する特徴について知ることができる。
【００９５】
場合により、一実施形態では、取得部701は、連絡先のアイコンであって、連絡先のアイコンは連絡先の識別子および連絡先の特徴アイコンを含み、連絡先の特徴アイコンは連絡先の特徴情報に基づいて判断される、連絡先のアイコンを取得し、連絡先のソーシャルテキスト情報であって、連絡先のソーシャルテキスト情報は、以下、すなわち、連絡先によってソーシャルネットワークに投稿された情報または連絡先によってユーザ機器に送信された情報のうちの少なくとも1つを含む、連絡先のソーシャルテキスト情報のキーワードを判断し、キーワードに対応する連絡先の特徴であって、連絡先の特徴のタイプが、以下のタイプ、すなわち、連絡先が位置する地理的環境、連絡先の行動状態、または連絡先の個人情報、のうちの少なくとも1つに属する、キーワードに対応する連絡先の特徴に基づいて、連絡先の特徴情報を判断する、ように特に構成されている。
【００９６】
場合により、別の実施形態では、取得部701は、連絡先のアイコンであって、連絡先のアイコンは連絡先の識別子および連絡先の特徴アイコンを含み、連絡先の特徴アイコンは連絡先の特徴情報に基づいて判断される、連絡先のアイコンを取得し、連絡先の特徴であって、連絡先の特徴のタイプが、以下のタイプ、すなわち、連絡先が位置する地理的環境、連絡先の行動状態、または連絡先の個人情報、のうちの少なくとも1つに属する、連絡先の特徴として、連絡先の測定データに対応する特徴を判断し、特徴に基づいて連絡先の特徴情報を判断する、ように特に構成されている。
【００９７】
場合により、別の実施形態では、取得部701は、連絡先のアイコンであって、連絡先のアイコンは連絡先の識別子および連絡先の特徴アイコンを含み、連絡先の特徴アイコンは連絡先の特徴情報に基づいて判断され、連絡先の特徴情報は、連絡先のソーシャルテキスト情報または連絡先の測定データのうちの少なくとも1つを含む、連絡先のアイコンを取得し、連絡先のソーシャルテキスト情報であって、連絡先のソーシャルテキスト情報は、以下、すなわち、連絡先によってソーシャルネットワークに投稿された情報または連絡先によってユーザ機器に送信された情報のうちの少なくとも1つを含む、連絡先のソーシャルテキスト情報のキーワードを判断し、キーワードに対応する特徴を判断し、キーワードおよび連絡先の測定データに対応する連絡先の特徴であって、連絡先の特徴のタイプが、以下のタイプ、すなわち、連絡先が位置する地理的環境、連絡先の行動状態、または連絡先の個人情報、のうちの少なくとも1つに属する、キーワードおよび連絡先の測定データに対応する連絡先の特徴に基づいて、連絡先の特徴情報を判断する、ように特に構成されている。
【００９８】
場合により、一実施形態では、取得部701は、連絡先のアイコンであって、連絡先のアイコンは連絡先の識別子および連絡先の特徴アイコンを含み、連絡先の特徴アイコンは連絡先の特徴情報に基づいて判断され、連絡先の特徴情報は、連絡先のソーシャルテキスト情報または連絡先の測定データのうちの少なくとも1つを含む、連絡先のアイコンを取得し、予め設定された優先順位に従って、連絡先のキーワードに対応する特徴または連絡先の測定データに対応する特徴から、連絡先の特徴を判断する、ように特に構成されている。
【００９９】
さらに、連絡先の識別子は、連絡先のプロフィール写真を含み、取得部701は、ユーザ機器と連絡先との対話に関するデータに基づいて、連絡先のプロフィール写真を判断するようにさらに構成されている。
【０１００】
場合により、一実施形態では、ユーザ機器700は、判断部703をさらに含んでもよい。判断部703は、連絡先の特徴情報に基づいて、連絡先の特徴を判断するように構成されてもよい。判断部703は、連絡先の特徴に基づいて、連絡先の特徴アイコンを判断するようにさらに構成されてもよい。
【０１０１】
図8は、本開示の一実施形態によるデバイスの構造ブロック図である。図8に示すデバイス800は、図2に示す各ステップを実行することができる。図8に示すように、デバイス800は取得部801および判断部802を含む。
【０１０２】
取得部801は、連絡先の特徴情報を取得するように構成されており、連絡先の特徴情報は、連絡先のソーシャルテキスト情報または連絡先の測定データのうちの少なくとも1つを含む。
【０１０３】
判断部802は、ユーザ機器が連絡先画面上に連絡先の特徴に対応する特徴アイコンを提示するように、連絡先の特徴情報に基づいて連絡先の特徴を判断するように構成されている。
【０１０４】
図8に示すデバイス800は、ネットワークデバイス（例えば、サーバ）であってもよく、またはユーザ機器であってもよい。デバイス800がネットワークデバイスである場合、場合により、一実施形態では、デバイス800は、判断された連絡先の特徴をユーザ機器に送信するように構成された送信部をさらに含むことができる。ユーザ機器は、連絡先の特徴に基づいて対応する特徴アイコンを判断し、連絡先画面上に連絡先のアイコンを提示することができ、連絡先のアイコンは連絡先の識別子および連絡先の特徴アイコンを含む。デバイス800がネットワークデバイスである場合、場合により、別の実施形態では、判断部802は、連絡先の特徴に基づいて連絡先の特徴アイコンをさらに判断することができる。デバイス800は、送信部をさらに含むことができ、送信部は、ユーザ機器に、判断部802によって判断された連絡先の特徴アイコンを送信するように構成されている。デバイス800がユーザ機器である場合、ユーザ機器は、連絡先の特徴を判断した後、連絡先の特徴に基づいて連絡先の特徴アイコンをさらに判断し、連絡先画面上に、連絡先のアイコンを提示することができる。
【０１０５】
場合により、一実施形態では、判断部802は、連絡先のソーシャルテキスト情報のキーワードを判断し、キーワードに対応する特徴に基づいて連絡先の特徴を判断するように特に構成されており、連絡先のソーシャルテキスト情報は、以下、すなわち、連絡先によってソーシャルネットワークに投稿された情報または連絡先によってユーザ機器に送信された情報のうちの少なくとも1つを含み、連絡先の特徴のタイプが、以下のタイプ、すなわち、連絡先が位置する地理的環境、連絡先の行動状態、または連絡先の個人情報のうちの少なくとも1つに属する。
【０１０６】
場合により、別の実施形態では、判断部802は、連絡先の特徴として、連絡先の測定データに対応する特徴を判断するように特に構成されており、連絡先の特徴のタイプが、以下のタイプ、すなわち、連絡先が位置する地理的環境、連絡先の行動状態、または連絡先の個人情報、のうちの少なくとも1つに属する。
【０１０７】
場合により、別の実施形態では、判断部802は、連絡先のソーシャルテキスト情報に対応するキーワードを判断し、キーワードに対応する特徴に基づいて、連絡先の測定データに対応する特徴を判断し、キーワードに対応する特徴および連絡先の測定データに対応する特徴に基づいて、連絡先の特徴を判断するように特に構成されており、連絡先のソーシャルテキスト情報は、以下、すなわち、連絡先によってソーシャルネットワークに投稿された情報または連絡先によってユーザ機器に送信された情報のうちの少なくとも1つを含み、連絡先の特徴のタイプが、以下のタイプ、すなわち、連絡先が位置する地理的環境、連絡先の行動状態、または連絡先の個人情報のうちの少なくとも1つに属する。
【０１０８】
さらに、判断部802は、予め設定された優先順位に従って、連絡先のキーワードに対応する特徴または連絡先の測定データに対応する特徴から、連絡先の特徴を判断するように特に構成されている。
【０１０９】
場合により、一実施形態では、取得部801は、ユーザ機器と連絡先との対話に関するデータを取得するようにさらに構成されている。判断部802は、ユーザ機器と連絡先との対話に関するデータに基づいて、連絡先のプロフィール写真を判断するようにさらに構成されている。
【０１１０】
図9は、本開示の一実施形態によるユーザ機器の構造ブロック図である。図9に示すユーザ機器は、図1に示す方法の各ステップを実行することができる。図9に示すように、ユーザ機器900は、プロセッサ901と、ディスプレイ902と、メモリ903とを含む。
【０１１１】
ユーザ機器900のコンポーネントは、バスシステム904を使用して共に結合される。データバスに加えて、バスシステム904は電源バスと、制御バスと、状況信号バスとをさらに含む。しかし、説明を明確にするために、図9では様々なバスがバスシステム904として記されている。
【０１１２】
本開示の前述の実施形態において開示される方法は、プロセッサ901に対して適用することもでき、またはプロセッサ901によって実施することもできる。プロセッサ901は集積回路チップとすることができ、信号処理能力を有する。一実装プロセスにおいては、前述の方法の各ステップを、プロセッサ901内のハードウェアの集積論理回路またはソフトウェアの形態の命令を用いて完了することができる。プロセッサ901は、汎用プロセッサ、デジタル信号プロセッサ（Digital Signal Processor、DSP）、特定用途向け集積回路（ASIC）、フィールド・プログラマブル・ゲート・アレイ（Field Programmable Gate Array、FPGA）もしくは別のプログラマブル論理デバイス、ディスクリートゲートもしくはトランジスタ論理デバイス、またはディスクリート・ハードウェア・コンポーネントとすることもでき、本開示の前述の実施形態に開示された方法、ステップ、および論理ブロック図を実施または実行することができる。汎用プロセッサはマイクロプロセッサとすることもでき、またはプロセッサは任意の従来のプロセッサなどとすることもできる。本開示の前述の実施形態に関連して開示されている方法の各ステップは、ハードウェア復号プロセッサによって実行し、完了することもでき、または復号プロセッサにおいてハードウェアとソフトウェアモジュールの組み合わせを用いて実行し、完了することもできる。ソフトウェアモジュールは、ランダム・アクセス・メモリ（Random Access Memory、RAM）、フラッシュメモリ、読取り専用メモリ（Read-Only Memory、ROM）、プログラマブル読取り専用メモリ、電気的消去書込み可能メモリ、レジスタといった、先行技術の成熟した記憶媒体に位置していてよい。記憶媒体は、メモリ903に配置されている。プロセッサ901は、メモリ903内の命令を読み込み、プロセッサ901のハードウェアに準拠して、前述の方法の各ステップを完了する。
【０１１３】
プロセッサ901は、連絡先のアイコンであって、連絡先のアイコンは連絡先の識別子および連絡先の特徴アイコンを含み、連絡先の特徴アイコンは連絡先の特徴情報に基づいて判断され、連絡先の特徴情報は、連絡先のソーシャルテキスト情報または連絡先の測定データのうちの少なくとも1つを含み、連絡先の識別子は、連絡先のプロフィール写真または連絡先の名前のうちの少なくとも1つを含む、連絡先のアイコンを取得するように構成されている。
【０１１４】
ディスプレイ902は、連絡先画面を提示し、連絡先画面上に、プロセッサ901により得られた連絡先のアイコンを提示するように構成されている。
【０１１５】
図9に示すユーザ機器900が連絡先画面を提示すると、連絡先画面上に提示された連絡先のアイコンが連絡先の特徴を反映することができる。言い換えると、連絡先の基本的な通信情報以外の内容を連絡先画面上に提示することができる。このようにして、より豊かな内容が連絡先画面上に提示されることができ、ユーザは、連絡先のアイコンを使用して、連絡先に対応する特徴について知ることができる。
【０１１６】
場合により、一実施形態では、プロセッサ901は、連絡先のアイコンであって、連絡先のアイコンは連絡先の識別子および連絡先の特徴アイコンを含み、連絡先の特徴アイコンは連絡先の特徴情報に基づいて判断される、連絡先のアイコンを取得し、連絡先のソーシャルテキスト情報であって、連絡先のソーシャルテキスト情報は、以下、すなわち、連絡先によってソーシャルネットワークに投稿された情報または連絡先によってユーザ機器に送信された情報のうちの少なくとも1つを含む、連絡先のソーシャルテキスト情報のキーワードを判断し、キーワードに対応する連絡先の特徴であって、連絡先の特徴のタイプが、以下のタイプ、すなわち、連絡先が位置する地理的環境、連絡先の行動状態、または連絡先の個人情報、のうちの少なくとも1つに属する、キーワードに対応する連絡先の特徴に基づいて、連絡先の特徴情報を判断する、ように特に構成されている。
【０１１７】
場合により、別の実施形態では、プロセッサ901は、連絡先のアイコンであって、連絡先のアイコンは連絡先の識別子および連絡先の特徴アイコンを含み、連絡先の特徴アイコンは連絡先の特徴情報に基づいて判断される、連絡先のアイコンを取得し、連絡先の特徴であって、連絡先の特徴のタイプが、以下のタイプ、すなわち、連絡先が位置する地理的環境、連絡先の行動状態、または連絡先の個人情報、のうちの少なくとも1つに属する、連絡先の特徴として、連絡先の測定データに対応する特徴を判断し、特徴に基づいて連絡先の特徴情報を判断する、ように特に構成されている。
【０１１８】
場合により、別の実施形態では、プロセッサ901は、連絡先のアイコンであって、連絡先のアイコンは連絡先の識別子および連絡先の特徴アイコンを含み、連絡先の特徴アイコンは連絡先の特徴情報に基づいて判断され、連絡先の特徴情報は、連絡先のソーシャルテキスト情報または連絡先の測定データのうちの少なくとも1つを含む、連絡先のアイコンを取得し、連絡先のソーシャルテキスト情報であって、連絡先のソーシャルテキスト情報は、以下、すなわち、連絡先によってソーシャルネットワークに投稿された情報または連絡先によってユーザ機器に送信された情報のうちの少なくとも1つを含む、連絡先のソーシャルテキスト情報のキーワードを判断し、キーワードに対応する特徴を判断し、キーワードおよび連絡先の測定データに対応する連絡先の特徴であって、連絡先の特徴のタイプが、以下のタイプ、すなわち、連絡先が位置する地理的環境、連絡先の行動状態、または連絡先の個人情報、のうちの少なくとも1つに属する、キーワードおよび連絡先の測定データに対応する連絡先の特徴に基づいて、連絡先の特徴情報を判断する、ように特に構成されている。
【０１１９】
場合により、一実施形態では、プロセッサ901は、連絡先のアイコンであって、連絡先のアイコンは連絡先の識別子および連絡先の特徴アイコンを含み、連絡先の特徴アイコンは連絡先の特徴情報に基づいて判断され、連絡先の特徴情報は、連絡先のソーシャルテキスト情報または連絡先の測定データのうちの少なくとも1つを含む、連絡先のアイコンを取得し、予め設定された優先順位に従って、連絡先のキーワードに対応する特徴または連絡先の測定データに対応する特徴から、連絡先の特徴を判断する、ように特に構成されている。
【０１２０】
さらに、連絡先の識別子は、連絡先のプロフィール写真を含み、プロセッサ901は、ユーザ機器と連絡先との対話に関するデータに基づいて、連絡先のプロフィール写真を判断するようにさらに構成されている。
【０１２１】
場合により、一実施形態では、プロセッサ901は、連絡先の特徴情報に基づいて、連絡先の特徴を判断するようにさらに構成されてもよい。プロセッサ901は、連絡先の特徴に基づいて、連絡先の特徴アイコンを判断するようにさらに構成されてもよい。
【０１２２】
図10は、本開示の一実施形態によるデバイスの構造ブロック図である。図10に示すデバイス1000は、図2に示す各ステップを実行することができる。図10に示すように、デバイス1000は、受信機1001と、プロセッサ1002と、メモリ1003とを含む。
【０１２３】
デバイス1000のコンポーネントは、バスシステム1004を使用して共に結合される。データバスに加えて、バスシステム1004は電源バスと、制御バスと、状況信号バスとをさらに含む。しかし、説明を明確にするために、図10では様々なバスがバスシステム1004として記されている。
【０１２４】
本開示の前述の実施形態において開示される方法は、プロセッサ1002に対して適用することもでき、またはプロセッサ1002によって実施することもできる。プロセッサ1002は集積回路チップとすることができ、信号処理能力を有する。一実装プロセスにおいては、前述の方法の各ステップを、プロセッサ1002内のハードウェアの集積論理回路またはソフトウェアの形態の命令を用いて完了することができる。プロセッサ1002は、汎用プロセッサ、デジタル信号プロセッサ（Digital Signal Processor、DSP）、特定用途向け集積回路（Application Specific Integrated Circuit、ASIC）、フィールド・プログラマブル・ゲート・アレイ（Field Programmable Gate Array、FPGA）もしくは別のプログラマブル論理デバイス、ディスクリートゲートもしくはトランジスタ論理デバイス、またはディスクリート・ハードウェア・コンポーネントとすることができ、本開示の前述の実施形態に開示された方法、ステップ、および論理ブロック図を実施または実行することができる。汎用プロセッサはマイクロプロセッサとすることもでき、またはプロセッサは任意の従来のプロセッサなどとすることもできる。本開示の前述の実施形態に関連して開示されている方法の各ステップは、ハードウェア復号プロセッサによって実行し、完了することもでき、または復号プロセッサにおいてハードウェアとソフトウェアモジュールの組み合わせを用いて実行し、完了することもできる。ソフトウェアモジュールは、ランダム・アクセス・メモリ（Random Access Memory、RAM）、フラッシュメモリ、読取り専用メモリ（Read-Only Memory、ROM）、プログラマブル読取り専用メモリ、電気的消去書込み可能メモリ、レジスタといった、先行技術の成熟した記憶媒体に位置していてよい。記憶媒体は、メモリ1003に配置されている。プロセッサ1002は、メモリ1003内の命令を読み込み、プロセッサ901のハードウェアを準拠して、前述の方法の各ステップを完了する。
【０１２５】
受信機1001は、連絡先の特徴情報を取得するように構成されており、連絡先の特徴情報は連絡先のソーシャルテキスト情報または連絡先の測定データのうちの少なくとも1つを含む。
【０１２６】
プロセッサ1002は、ユーザ機器が連絡先画面上に連絡先の特徴に対応する特徴アイコンを提示するように、連絡先の特徴情報に基づいて連絡先の特徴を判断するように構成されている。
【０１２７】
図10に示すデバイス1000は、ネットワークデバイス（例えば、サーバ）であってもよく、またはユーザ機器であってもよい。デバイス1000がネットワークデバイスである場合、場合により、一実施形態では、デバイス1000は、判断された連絡先の特徴をユーザ機器に送信するように構成された送信部をさらに含むことができる。ユーザ機器は、連絡先の特徴に基づいて対応する特徴アイコンを判断し、連絡先画面上に連絡先のアイコンを提示することができ、連絡先のアイコンは連絡先の識別子および連絡先の特徴アイコンを含む。デバイス1000がネットワークデバイスである場合、場合により、別の実施形態では、プロセッサ1002は、連絡先の特徴に基づいて連絡先の特徴アイコンをさらに判断することができる。ネットワークデバイス1000は、送信機をさらに含むことができ、送信機は、ユーザ機器に、プロセッサ1002によって判断された連絡先の特徴アイコンを送信するように構成されている。デバイス1000がユーザ機器である場合、ユーザ機器は、連絡先の特徴を判断した後、連絡先の特徴に基づいて連絡先の特徴アイコンをさらに判断し、連絡先画面上に、連絡先のアイコンを提示することができる。
【０１２８】
場合により、一実施形態では、プロセッサ1002は、連絡先のソーシャルテキスト情報のキーワードを判断し、キーワードに対応する特徴に基づいて連絡先の特徴を判断するように特に構成されており、連絡先のソーシャルテキスト情報は、以下、すなわち、連絡先によってソーシャルネットワークに投稿された情報または連絡先によってユーザ機器に送信された情報のうちの少なくとも1つを含み、連絡先の特徴のタイプが、以下のタイプ、すなわち、連絡先が位置する地理的環境、連絡先の行動状態、または連絡先の個人情報のうちの少なくとも1つに属する。
【０１２９】
場合により、別の実施形態では、プロセッサ1002は、連絡先の特徴として、連絡先の測定データに対応する特徴を判断するように特に構成されており、連絡先の特徴のタイプが、以下のタイプ、すなわち、連絡先が位置する地理的環境、連絡先の行動状態、または連絡先の個人情報、のうちの少なくとも1つに属する。
【０１３０】
場合により、別の実施形態では、プロセッサ1002は、連絡先のソーシャルテキスト情報に対応するキーワードを判断し、キーワードに対応する特徴に基づいて、連絡先の測定データに対応する特徴を判断し、キーワードに対応する特徴および連絡先の測定データに対応する特徴に基づいて、連絡先の特徴を判断するように特に構成されており、連絡先のソーシャルテキスト情報は、以下、すなわち、連絡先によってソーシャルネットワークに投稿された情報または連絡先によってユーザ機器に送信された情報のうちの少なくとも1つを含み、連絡先の特徴のタイプが、以下のタイプ、すなわち、連絡先が位置する地理的環境、連絡先の行動状態、または連絡先の個人情報のうちの少なくとも1つに属する。
【０１３１】
さらに、プロセッサ1002は、予め設定された優先順位に従って、連絡先のキーワードに対応する特徴または連絡先の測定データに対応する特徴から、連絡先の特徴を判断するように特に構成されている。
【０１３２】
場合により、一実施形態では、受信機1001は、ユーザ機器と連絡先との対話に関するデータを取得するようにさらに構成されている。プロセッサ1002は、ユーザ機器と連絡先との対話に関するデータに基づいて、連絡先のプロフィール写真を判断するようにさらに構成されている。
【０１３３】
本明細書で開示される実施形態において記述される例と組み合わせて、各ユニットおよびアルゴリズムステップを電子ハードウェアによって、またはコンピュータソフトウェアと電子ハードウェアの組み合わせによって実現することができることを、当業者は理解するであろう。各機能が果たされるのがハードウェアによってか、それともソフトウェアによってかは、技術的解決策の個々の用途および設計上の制約条件に依存する。当業者は、様々な方法を使用して個々の用途ごとに記述された機能を実現することができるが、そうした実施態様は本開示の範囲を超えるものとみなすべきではない。
【０１３４】
説明を簡便にするために、前述のシステム、装置、およびユニットの特定の作動プロセスについては、前述の方法実施形態における対応するプロセスを参照することができることを当業者は明確に理解することができ、本明細書では詳細を繰り返さない。
【０１３５】
本出願で提供されるいくつかの実施形態においては、開示のシステム、装置、および方法を他のやり方で実現することもできることを理解すべきである。例えば、説明された装置実施形態は単なる例示にすぎない。例えば、ユニット分割は単なる論理的機能分割にすぎず、実際の実装に際しては他の分割とすることもできる。例えば、複数のユニットまたはコンポーネントが組み合わされ、または統合されて別のシステムになる場合もあり、ある機能が無視され、または実行されない場合もある。また、表示された、または論じられた相互結合または直接結合または通信接続を、いくつかの画面を使用して実現することもできる。装置間またはユニット間の間接結合または通信接続は、電子的形態、機械的形態、または他の形態として実現することができる。
【０１３６】
別々の部品として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。ユニットの一部または全部を、各実施形態の解決策の目的を達成するための実際の必要に従って選択することもできる。
【０１３７】
また、本開示の各実施形態における機能ユニットが1つの処理装置へ統合される場合もあり、ユニットの各々が物理的に独立して存在する場合もあり、または2つ以上のユニットが1つのユニットへ統合される。
【０１３８】
各機能がソフトウェア機能ユニットの形態で実現され、独立した製品として販売され、または使用される場合に、それらの機能は、コンピュータ可読記憶媒体に記憶することができる。そうした理解に基づき、本開示の技術的解決策を本質的に、または先行技術に寄与する部分を、または技術的解決策の一部を、ソフトウェア製品の形態で実現することができる。ソフトウェア製品は記憶媒体に記憶されており、（パーソナルコンピュータ、サーバ、もしくはネットワークデバイスとすることができる）コンピュータデバイスまたはプロセッサ（processor）に、本開示の各実施形態で記述されている方法のステップの全部または一部を実行するよう命令するためのいくつかの命令を含む。前述の記憶媒体は、USBフラッシュドライブ、取り外し可能ハードディスク、読取り専用メモリ（ROM、Read-Only Memory）、ランダム・アクセス・メモリ（RAM、Random Access Memory）、磁気ディスク、光ディスクといった、プログラムコードを記憶することができる任意の媒体を含む。
【符号の説明】
【０１３９】
100  ユーザ機器
200  ネットワークデバイス
300  連絡先デバイス
400  ネットワークデバイス
401  連絡先プロフィール写真
402  アイコン
403  連絡先プロフィール写真
404  ロゴ
405  連絡先プロフィール写真
406  アイコン
407  連絡先アイコン
408  特徴アイコン
501  連絡先プロフィール写真
502  連絡先アイコン
700  ユーザ機器
701  取得部
702  提示部
703  判断部
800  ネットワークデバイス
801  取得部
802  判断部
900  ユーザ機器
901  プロセッサ
902  ディスプレイ
903  メモリ
904  バスシステム
1000  ネットワークデバイス
1001  受信機
1002  プロセッサ
1003  メモリ
1004  バスシステム
【図１】
0006574250.tif 000002
【図２】
0006574250.tif 000003
【図３】
0006574250.tif 000004
【図４】
0006574250.tif 000005
【図５】
0006574250.tif 000006
【図６】
0006574250.tif 000007
【図７】
0006574250.tif 000008
【図８】
0006574250.tif 000009
【図９】
0006574250.tif 000010
【図１０】
0006574250.tif 000011